(57)【特許請求の範囲】
【請求項１】
最上層に配置される上板と、
当該上板の下側に重ねて配設され、上下方向に圧縮変形可能で且つ当該圧縮変形状態から復元可能な弾性を有する略平板状の中間材と、
当該中間材の下側に重ねて配設される下板と、
頭部を前記上板に係合させて中間材及び下板を貫通する状態で配設されるボルト、及び、下板の下側からボルト先端に螺合させて配設されるナットを少なくとも有して、横方向に所定間隔で複数並べて配設され、上板と下板をそれぞれ中間材と接する状態に維持する連結部材とを備え、
当該各連結部材が、上からの荷重を受けていない状態の前記上板と下板の間隔を、当該上板と下板に挟まれる前記中間材が上下方向に圧縮されながらも、中間材にはさらに所定寸法分の圧縮変形代が残っている状態をもたらす所定間隔とし、前記ナットで中間材側から下方へ離れないよう下板を係止して、前記所定間隔以上に上板と下板の間が広がらないよう上板と下板を拘束する一方、上板と下板の間隔の狭まる方向への変化は許容し、
床下側の床支持材と前記連結部材が接触せず、連結部材下側に空間を生じさせる配置としつつ、床支持材上に連結部材で一体となった前記上板、中間材及び下板が載置され、
前記上板が上からの荷重を受けて、中間材を圧縮変形させつつ下板との間隔を小さくするように下方へ動く状態では、前記連結部材のボルト及びナットも、上板と一体に下板に対し下方へ動くことを
特徴とする床材。
【請求項２】
最上層に配置される上板と、
当該上板の下側に重ねて配設され、上下方向に圧縮変形可能で且つ当該圧縮変形状態から復元可能な弾性を有する略平板状の中間材と、
当該中間材の下側に重ねて配設される下板と、
頭部を前記上板に係合させて中間材及び下板を貫通する状態で配設されるボルト、及び、下板の下側からボルト先端に螺合させて配設されるナットを少なくとも有して、横方向に所定間隔で複数並べて配設され、上板と下板をそれぞれ中間材と接する状態に維持する連結部材とを備え、
当該各連結部材が、上からの荷重を受けていない状態の前記上板と下板の間隔を、当該上板と下板に挟まれる前記中間材が上下方向に圧縮されながらも、中間材にはさらに所定寸法分の圧縮変形代が残っている状態をもたらす所定間隔とし、前記ナットで中間材側から下方へ離れないよう下板を係止して、前記所定間隔以上に上板と下板の間が広がらないよう上板と下板を拘束する一方、上板と下板の間隔の狭まる方向への変化は許容し、
既設の床面上で、所定の部材を枠状に組んで形成された支持枠と前記連結部材が接触せず、連結部材下側に空間を生じさせる配置としつつ、前記支持枠上に連結部材で一体となった前記上板、中間材及び下板が載置され、
前記上板が上からの荷重を受けて、中間材を圧縮変形させつつ下板との間隔を小さくするように下方へ動く状態では、前記連結部材のボルト及びナットも、上板と一体に下板に対し下方へ動くことを
特徴とする床材。
【請求項３】
前記請求項１に記載の床材において、
前記下板下面の少なくとも床支持材に面する部分に、弾性変形能を有するシート体があらかじめ貼設されることを
特徴とする床材。
【請求項４】
前記請求項２に記載の床材において、
前記下板下面の少なくとも支持枠に面する部分に、弾性変形能を有するシート体があらかじめ貼設されることを
特徴とする床材。
【発明の詳細な説明】
【技術分野】
【０００１】
本発明は、床として使用したり、既設の床に重ねて用いる床材に関する。
【背景技術】
【０００２】
床板を張った床（いわゆるフローリング）は、畳や絨毯敷きの床の場合に比べてダニ等が発生しにくくなるため、アレルギー性疾患が大きな問題となっている近年では、その住宅への使用が増えているものの、床上で生じる振動や衝撃があまり吸収されずに床下に伝わり、特に集合住宅の場合は床下の建物躯体に振動が伝わると、振動に伴う音が周囲に拡散しやすくなることもあり、こうした床の振動等への対策が強く求められている。
【０００３】
こうした中、床面を構成する床材は、最も振動や衝撃を受ける部材となることから、それ自体で振動や衝撃を吸収するようにして、下方（特に階下）にそれらが伝わらないように工夫された床材の採用例が年々増えてきている。こうした床材としては、弾性を有して振動を吸収するものを板に重ねて一体化したものが提案されており、このような従来の床材の一例として、特開２００５−２８２３０６号公報や特開２００９−８４９３７号公報に開示されるものがある。
【先行技術文献】
【特許文献】
【０００４】
【特許文献１】特開２００５−２８２３０６号公報
【特許文献２】特開２００９−８４９３７号公報
【発明の概要】
【発明が解決しようとする課題】
【０００５】
従来の床材は前記各特許文献に示される構成となっており、床材単体としては、板に重ねて弾性体を設けて一体化することで制振性能を付与できるものの、床材を床面として設置した状態では、制振性と共に、床として人や物を確実に支えることが求められており、床材の一部に弾性材を設け、振動吸収性を重視した構成とすると、床面としては過剰に弾力のある状態となって安定せず、人が歩くたびに揺れたり、重いものを置くと傾くなど、床としての機能の面で不都合が生じ、また床上の人に床が揺れ動く違和感を与え、使用感の劣ったものとなるという課題を有していた。
【０００６】
こうした弾性材に基づく不安定さを避けるために、床材を根太等の床支持材に釘やねじ等で確実に固定した場合、床としての安定性は確保でき、床が動くような違和感を解消できるものの、この場合は弾性材を含む床材全体が剛状態となることで、弾性材の振動吸収効果をほとんど発揮させられず、床上に加わる振動や衝撃を床下にそのまま伝えてしまう状態になるという課題を有していた。
【０００７】
本発明は、前記課題を解消するためになされたもので、床としての安定性を確保し、使用感を向上させつつ、振動吸収性能を高めて下方へ振動や衝撃を伝わりにくくする床材を提供することを目的とする。
【課題を解決するための手段】
【０００８】
本発明に係る床材は、最上層に配置される上板と、当該上板の下側に重ねて配設され、上下方向に圧縮変形可能で且つ当該圧縮変形状態から復元可能な弾性を有する略平板状の中間材と、当該中間材の下側に重ねて配設される下板と、横方向に所定間隔で複数並べて配設され、それぞれ前記中間材を貫通して前記上板と下板に係合し、上板と下板をそれぞれ中間材と接する状態に維持する連結部材とを備え、当該各連結部材が、上からの荷重を受けていない状態の前記上板と下板の間隔を、当該上板と下板に挟まれる前記中間材が上下方向に圧縮されながらも、中間材にはさらに所定寸法分の圧縮変形代が残っている状態をもたらす所定間隔とし、当該所定間隔以上に上板と下板の間が広がらないよう上板と下板を拘束する一方、上板と下板の間隔の狭まる方向への変化は許容するものである。
【０００９】
このように本発明においては、上板と下板間に中間材を介在させ、複数の連結部材による上板と下板との間隔保持に伴って、中間材を十分圧縮した状態で、床として上からの荷重を受けることにより、人の歩行等の緩やかな荷重変動に対し中間材が変形しにくく、中間材上の上板が不用意に動くこともなく、上板上側の人や物を安定的に支持でき、上板に載っている人に床が動く違和感を与えずに済む一方、上板に上から振動や衝撃が加わった場合には、中間材に残る変形代の分、上板が下板に対しわずかに間隔を小さくするように下方へ動くと共に、中間材が圧縮変形して振動や衝撃に係るエネルギーを吸収し、下板側への伝達を防止することとなり、上板に加わった振動や衝撃、並びにそれに伴って生じる音を、床下に伝わりにくくすることができる。
【００１０】
また、本発明に係る床材は必要に応じて、床下側の床支持材と前記連結部材が接触しない配置としつつ、床支持材上に連結部材で一体となった前記上板、中間材及び下板が載置されると共に、前記下板下面の少なくとも床支持材に面する部分に、弾性変形能を有するシート体があらかじめ貼設されるものである。
【００１１】
このように本発明においては、下板と床支持材間に弾性変形するシート体を配設しつつ、下板を床支持材に固定せず載置したのみとして床面を構築することにより、上板、中間材及び下板の重量で床面として安定して床支持材上に固定状態とすることができる一方、下板と床支持材とが一体化した剛構造とならず、シート体の介在も相俟って、上から伝わる振動や衝撃を適切に床支持材より上側の各部材で減衰させて床支持材側に伝えず、床下側に振動や衝撃等が伝わるのを確実に防止できる。
【００１２】
また、本発明に係る床材は必要に応じて、既設の床面上で、所定の部材を枠状に組んで形成された支持枠と前記連結部材が接触しない配置としつつ、前記支持枠上に連結部材で一体となった前記上板、中間材及び下板が載置されると共に、前記下板下面の少なくとも支持枠に面する部分に、弾性変形能を有するシート体があらかじめ貼設されるものである。
【００１３】
このように本発明においては、既設床面に載せた支持枠と下板との間に弾性変形するシート体を配設しつつ、下板を支持枠に固定せず載置したのみとして、床面上に一段高い台状部分を構築することにより、上板、中間材及び下板の重量でこれらを安定して床面上に固定状態とすることができる一方、下板と支持枠、床面が一体化した剛構造とならず、シート体の介在も相俟って、上から伝わる振動や衝撃を支持枠より上側の各部材で適切に減衰させて支持枠や床面側に伝えず、床面側に振動や騒音等が伝わるのを確実に防止できる。また、既設の床を改修することなく支持枠と床材をなす各部材を載置するだけで制振機能を発揮させられ、既設の床についても振動等への対策を簡易に実行できる。
【００１４】
また、本発明に係る床材は必要に応じて、前記連結部材が、前記上板への係合部分と下板への係合部分との間の距離を変更可能に形成され、前記中間材を圧縮変形させている状態における上板と下板の間隔を調整可能とされるものである。
【００１５】
このように本発明においては、連結部材による上板と下板との間隔設定を調整可能とし、中間材を圧縮変形させている状態におけるその圧縮の度合を適宜変更できるようにすることにより、上板と下板の間隔をより大きくし、中間材の圧縮度合を小さくすれば、中間材が弾性変形しやすくなり、振動等の吸収性能を向上させた状態にでき、また、逆に上板と下板の間隔をより小さくし、中間材の圧縮度合を大きくすれば、中間材が弾性変形しにくくなる分、床材全体の剛性を高めて、床としての安定性を向上させられるなど、連結部材を用いて振動等の吸収性能と床の安定性とのバランスを調節できることとなり、用途や周囲環境、要求される性能等に応じた適切な床材の特性が得られる。
【００１６】
また、本発明に係る床材は必要に応じて、前記連結部材が、前記下板との係合部分を、上板側から垂直下方に延びて下板を貫通する雄ねじ部に下板下側からナットを螺合させ、当該ナットで中間材側から下方へ離れないよう下板を係止する構成とされるものである。
【００１７】
このように本発明においては、連結部材の下板と係合する部分を、下板を貫通する雄ねじ部とこれに下側から螺合するナットとし、上板と下板との間隔をナットの締付けで維持することにより、連結部材の構造を簡略化して低コスト化が図れると共に、下板に対しナットを締付ければ、適切な上板と下板との間隔を得られ、またナットの締付け具合を変えることで、上板と下板の間隔を変えて中間材の圧縮度合を調整することが容易に行える。
【図面の簡単な説明】
【００１８】
【図１】本発明の第１の実施形態に係る床材からなる床面の平面図である。
【図２】本発明の第１の実施形態に係る床材からなる床面の断面図である。
【図３】本発明の第１の実施形態に係る床材における連結部材配設部分の拡大断面図である。
【図４】本発明の第１の実施形態に係る床材における配設前の中間材未圧縮状態説明図である。
【図５】本発明の第１の実施形態に係る床材における連結部材配設部分の振動等荷重付加状態での拡大断面図である。
【図６】本発明の第２の実施形態に係る床材の床面設置状態の平面図である。
【図７】本発明の第２の実施形態に係る床材の床面設置状態の断面図である。
【発明を実施するための形態】
【００１９】
（本発明の第１の実施形態）
以下、本発明の第１の実施形態に係る床材を前記図１ないし図５に基づいて説明する。本実施形態においては、新規の床面を構成するものとして根太上に配設する例について説明する。
【００２０】
前記各図において本実施形態に係る床材１は、最上層に配置される上板１１と、この上板１１の下側に重ねて配設され、空気を含んで上下方向に圧縮可能で且つこの圧縮状態から復元可能な弾性を有する略平板状の中間材１２と、この中間材１２の下側に重ねて配設される下板１３と、横方向に所定間隔で複数並べて配設され、それぞれ中間材１２を貫通して上板１１と下板１３に係合し、上板１１と下板１３の間隔を規制する連結部材１４とを備える構成である。
【００２１】
前記上板１１は、木製で容易に変形しない程度の厚さを有する平板であり、連結部材１４の端部を係合させるための孔が前後左右に所定間隔で複数穿設される構成である。この上板は容易に変形しない程度の厚さとして、９〜２１ｍｍとするのが好ましい。
【００２２】
前記中間材１２は、全体として厚さ方向に圧縮できると共に、圧縮した状態から復元できる弾性を有する略平板状体として形成されるものである。この中間材１２にも、連結部材１４を通すための孔が、上板１１の孔と同様の前後左右に所定間隔をなす配置で複数穿設される構成である。中間材１２の厚さは、本実施形態においては、上板１１の厚さより大きく、上板１１と下板１３の合計厚さより小さくなるよう設定されるが、これに限らず、中間材の材質や使用状況に対応した厚さを適宜選定できる。
【００２３】
この中間材１２は、柔軟な外装でほぼ閉じられた空間を生じさせ、この空間内に空気を存在させることで圧縮と復元の各変形が可能な弾性体として機能するもの（例えば、エアマット等）の他、空気を流通可能な多孔質の材質であり、空気を多く含む非圧縮状態から圧縮すると空気を排出しつつ変形する一方、圧縮後に付加した外力を取除くと、空気を取込みながら元の厚さまで復元可能な弾性を備えるもの（例えば、スポンジや繊維質の集合体等）を用いることができる。こうした中間材をなす材質は、変形の過程で内部で摩擦等が生じることで、変形をもたらす外力のエネルギーを吸収できる仕組みである。
【００２４】
なお、中間材１２においては、中間材の全体が弾性を有する構造とする必要はなく、厚さ方向の少なくとも一部に圧縮と復元の各変形が可能な部分を備えた複層構造としてもよい。ただし、こうした複層構造の場合も、中間材を圧縮していない初期状態で、中間材厚さ全体の約３０％以上が、変形可能な材質部分となるよう構成するのが好ましい。
【００２５】
中間材１２は、上板１１と下板１３に挟まれた状態で連結部材１４により上板１１と下板１３の間隔を小さくする向きの締付け力を付加され、十分に圧縮されている（例えば、変形可能部分の厚さを非圧縮状態から１／３程度まで圧縮される）ことで、圧縮前と比べて変形しにくくなっており、人の体重程度までの軽荷重の付加あるいは除去や、人の体重程度の重量のものが上板１１上を移動する程度の緩やかな荷重変動に対してはほとんど変形せず、上板１１及びその上側の人や物は上下方向にほとんど動かず、安定的に支持された状態を維持する。その一方、振動や衝撃として変化の度合の大きな荷重が上板１１上に加わると、中間材１２は変形可能な範囲で変形しながら、加わるエネルギーを吸収でき、下板１３側へ振動や衝撃等を伝わりにくくすることができる。
【００２６】
前記下板１３は、木製で容易に変形しない程度の厚さを有する平板であり、下面側に弾性変形能を有する材質からなるシート体１３ａを貼設され、連結部材１４の端部を貫通させるための孔が上板１１の孔と同様の前後左右に所定間隔をなす配置で複数穿設される構成である。この下板１３の厚さは、上板同様、容易に変形しない程度の厚さとして９〜２１ｍｍとするのが好ましい。
【００２７】
前記シート体１３ａとしては、振動吸収性に優れるゴムやエラストマーの他、空気等の気体を含んで気体のばね性を利用可能なシート材を採用することができる。このシート体１３ａも、中間体１２の場合と同様に、弾性変形の過程で内部で摩擦等が生じることで、変形をもたらす外力のエネルギーを吸収できる仕組みであり、それにより振動吸収性を得ている。
【００２８】
この下板１３はシート体１３ａを介して床支持材としての根太５０に支持されるが、根太５０に固定されないことで、仮に下板１３が振動しても下板１３と根太５０が一体で振動するようなことはなく、またシート体１３ａが介在することで下板１３の振動が吸収されることもあり、下板１３から根太５０に振動が伝わりにくい仕組みとなっている。
【００２９】
前記連結部材１４は、頭部を上板１１側に位置させて中間材１２及び下板１３を貫通する状態で配設され、少なくとも下端側の所定長さを雄ねじとされてなるボルト１４ａと、下板１３の下側からボルト先端に螺合させて配設されるナット１４ｂと、ナット１４ｂと下板１３との間に介在させて配設される座金部１４ｃとを備える構成である。
【００３０】
連結部材１４では、上板１１の孔にボルト１４ａ頭部を係合させ、この上板１１側から下方に延伸して中間材１２及び下板１３を貫通するボルト１４ａの雄ねじ部に、下板１３下側からナット１４ｂを螺合させることで、上板１１と下板１３を中間材１２から離れないよう保持する仕組みである。そして、この連結部材１４で規定される上板１１と下板１３の間隔を、ナット１４ｂの締付けで中間材１２の非圧縮状態（図４参照）の初期厚さより小さい所定間隔（図３参照）とすることにより、上板１１と下板１３に挟まれる中間材１２を上下方向に圧縮状態としつつ、中間材１２にはさらに所定寸法分の圧縮変形代が残っている状態としている。この状態で、連結部材１４は、ボルト１４ａ頭部とナット１４ｂにより、上板１１と下板１３の間が前記所定間隔以上に広がらないよう拘束する一方、中間材１２に残った変形代の分の上板１１と下板１３の間隔の狭まる方向への変化は許容することとなる。
【００３１】
振動や衝撃が上板１１上に加わる場合、中間材１２が圧縮変形して上板１１と下板１３の間隔が狭まる（図５参照）が、この時、連結部材１４は、上板１１と下板１３の間隔が狭まる動きについては拘束しないことで、上板１１と下板１３、及び連結部材１４が全て一体に動くことはなく、上板１１から連結部材１４を介して下板１３に力が加わる状態とはならない。すなわち、連結部材１４を介して上板１１から下板１３側へ振動や衝撃が伝わりにくい仕組みとなっている。
【００３２】
また、連結部材１４は、ナット１４ｂの締付け状態を変えることで上板１１と下板１３の間隔、すなわち中間材１２の圧縮状態の度合を調整可能である。上板１１と下板１３との間隔をより大きくして、中間材１２の圧縮度合を小さくすれば、中間材１２が弾性変形しやすくなり、振動等の吸収性能を向上させた状態とすることができる。一方、上板１１と下板１３との間隔をより小さくして、中間材１２の圧縮度合を大きくすれば、中間材１２が弾性変形しにくくなる分、床材全体の剛性が高まり、床としての安定性が向上することとなる。こうして、連結部材１４の調整により、振動等の吸収性能と、床としての安定性とのバランスを調節できることで、用途や周囲環境に応じた適切な特性を得ることができる。
【００３３】
なお、床材の設置、使用に先立ち、連結部材１４により上板１１と下板１３の間隔を小さくして中間材１２を十分に圧縮した状態を得るにあたっては、連結部材１４にナット１４ｂの締付け力など所定の力を加える必要があるものの、中間材１２を大きく圧縮させられるような荷重を生じさせる重量物（例えば、ピアノ等）を、上板１１の上に載せて使用することがあらかじめわかっている場合は、連結部材１４のナット１４ｂの締付け調整で規制する上板１１と下板１３の間隔を大きめとしておき、床材設置後に上板１１上に重量物を載せた段階で、はじめて中間材１２が適切な圧縮状態となるようにすることもでき、床材設置時に中間材１２を圧縮するために連結部材１４に加える力を大幅に軽減することができ、各部材の連結部材１４による連結一体化の作業性を向上させられる。
【００３４】
連結部材１４の配置間隔は、上板１１及び下板１３の材質や厚さ、また中間材１２の材質、構成や厚さにより調整する必要がある。例えば、使用状態での上板１１、下板１３、及び中間材１２の合計厚さが４０ｍｍ程度となる場合には、２０ないし４０ｃｍ間隔で配置するのが好ましい。また、連結部材１４のボルト１４ａの長さは、重ね合せた上板１１、中間材１２及び下板１３に対し、中間材１２を圧縮する前の段階でボルト１４ａを上板１１から中間材１２を介して下板１３まで通すと、ボルト先端が座金部１４ｃを取付けた上でナット１４ｂを螺合させられる程度に下板１３の下側に現れる程度（図４参照）とする。
【００３５】
また、上板１１が薄い場合には、連結部材１４のボルト１４ａ頭部から大きな力が加わる上板１１の孔周辺部の破損を防ぎ、ボルト１４ａ頭部の上板１１との係合を維持するために、ボルト１４ａ頭部より大きい座金を、ボルト１４ａ頭部と上板１１との間に設けるのが望ましい。
【００３６】
次に、本実施形態に係る床材の配設及び使用状態について説明する。床材については、あらかじめシート体１３ａを下面に貼付けた下板１３に、中間材１２、上板１１を重ね、各連結部材１４を取付けてから（図４参照）、各連結部材１４のナット１４ｂを均等に締付けて、上板１１と下板１３の間の中間材１２が設定された厚みまで圧縮された状態（図２、図３参照）として、床材１として一体に取扱えるようにしておく。なお、連結部材１４のナット１４ｂ締付けでは、中間材１２を一旦圧縮限界まで変形させる状態まで締付けた後、ナット１４ｂを緩めて中間材１２を復元させつつ、使用時に上板１１の上に載せる物に応じた最適な圧縮状態となるよう調整するのが好ましい。
【００３７】
この床材１を、床支持材としてあらかじめ床材の連結部材１４と物理的に干渉しない所定間隔で配設された根太５０の上側に載置すると、床材１の重量によりそのまま固定状態となる。室内の床面を構築する箇所全てに床材１を載置すれば、床として完成状態となる。なお、床材１を載置する対象としての床支持材を根太５０としているが、根太に限られるものではなく、大引きや他の横架材を床支持材とすることもできる。また、捨て張り下地板やコンクリート躯体等の平面上に、床材の下板を浮かせて連結部材下部と前記平面部分との接触を防ぐ部材を配設した上でこれらを床支持材として用いることもできる。
【００３８】
この床材１からなる床上に振動や衝撃が加わった場合、振動や衝撃の源と接触する上板１１は動く状態となるが、上板１１下側の中間材１２がわずかながら変形する（図５参照）ことで、振動等に係るエネルギーが吸収され、また、連結部材１４は中間材１２の変形を許容して上板１１と下板１３を拘束せず、上板１１の動きを下板１３にそのまま伝えることはないため、上板１１から中間材１２及び連結部材１４を介した下板１３への振動等の伝達はほとんど生じない。さらに、下板１３は根太５０に固定されず、根太５０上に載置されたのみとなっていることに加え、下板１３と根太５０間にはシート体１３ａが介在していることで、仮に下板１３まで振動等が伝わって下板１３がわずかに振動したとしても、根太５０にはこうした振動が伝わりにくく、結果として根太５０への振動等の伝達を抑えられ、床下に床上側で生じた振動や衝撃が伝わらない。
【００３９】
一方、人が床の上を歩く場合など、人の体重程度の荷重が上板１１上を移動する際は、上板１１で受けた荷重が中間材１２にも加わるものの、大きな荷重でない上、振動や衝撃の場合と異なり、荷重の変化の度合も緩やかなものであるため、中間材１２はほとんど変形せず、上板１１が動きを感じられるほどに動くことはない。こうして上板１１及びその上側の人や物は安定的に支持された状態を維持でき、上板１１上の人は床が動くような違和感を覚えることもない。
【００４０】
このように、本実施形態に係る床材は、上板１１と下板１３間に変形する中間材１２を介在させ、複数の連結部材１４による上板１１と下板１３との間隔保持に伴って、中間材１２を十分圧縮した状態で、床として上からの荷重を受けることから、人の歩行等の緩やかな荷重変動に対し、中間材１２が変形しにくく、この中間材１２の上側の上板１１が不用意に動くこともなく、上板１１上側の人や物を安定的に支持でき、上板１１に載っている人に床が動く違和感を与えずに済む一方、上板１１に上から振動や衝撃が加わった場合には、中間材１２に残る変形代の分、上板１１が下板１３に対しわずかに間隔を小さくするように下方へ動くと共に、中間材１２が圧縮変形して振動や衝撃に係るエネルギーを吸収し、下板１３側への伝達を防止することとなり、上板１１に加わった振動や衝撃、並びにそれに伴って生じる音を、床下に伝わりにくくすることができる。
【００４１】
なお、前記実施形態に係る床材において、下板１３の下面全面にシート体１３ａを貼設する構成としているが、これに限らず、下板下面における根太等の床支持材に面する部分のみに、弾性変形能を有する材質からなるシート体を貼設するようにしてもよく、シート自体の使用量を削減してそのコストを低減しつつ、前記実施形態と同等の制振効果を上げられる。
【００４２】
（本発明の第２の実施形態）
本発明の第２の実施形態を図６及び図７に基づいて説明する。本実施形態においては、既設の床面上に支持枠を介して設置される例について説明する。
前記各図において本実施形態に係る床材２は、前記第１の実施形態同様、上板２１と、中間材２２と、下板２３と、連結部材２４とを備える一方、異なる点として、所定の角材を枠状に組んで形成された支持枠６０を既設の床面７０上に配設し、この支持枠６０上に、連結部材２４で一体化した上板２１、中間材２２及び下板２３を載置して、床面７０の上側に一段高くなった台状部分として配設されるものである。床材２をなす上板２１、中間材２２、下板２３、及び連結部材２４そのものの構成については、前記第１の実施形態と同様であり、説明を省略する。
【００４３】
前記支持枠６０は、所定の厚みを有する角材を枠状に組んで形成され、下板２３と床面７０の間に所定の間隔を確保し、下板２３下側に突出した状態となる連結部材２４下部が床面７０に接触しないようにするものであり、この支持枠６０をなす各角材はいずれも連結部材２４と接触しない配置として組合わされて一体化される。
【００４４】
本実施形態に係る床材２をなす最下部の下板２３は、前記第１の実施形態同様のシート体を介して支持枠６０に支持されるが、支持枠６０に固定されないことで、仮に下板２３が振動しても下板２３と支持枠６０が一体で振動するようなことはなく、またシート体が介在することで下板２３の振動が吸収され、下板２３から支持枠６０に振動が伝わりにくい。なお、床材２各部材の重量とシート体の摩擦抵抗とにより、下板２３が支持枠６０に対し横方向にずれることはない。
【００４５】
さらに、支持枠６０も床面７０と一体化した剛構造となっておらず、上から伝わる振動を床面側に伝えにくくなっていることで、結果として上板２１の上側から伝わる振動が支持枠６０や床面７０側に伝わることはなく、床面やその下側に振動や騒音が伝わるのを確実に防止できる。
【００４６】
次に、本実施形態に係る床材の配設及び使用状態について説明する。床材については、前記第１の実施形態同様、あらかじめシート体を下面に貼付けた下板２３に、中間材２２、上板２１を重ね、各連結部材２４を取付けてから、各連結部材２４のナットを均等に締付けて、上板２１と下板２３の間の中間材２２が設定された厚みまで圧縮された状態として、床材２として一体に取扱えるようにしておく。
【００４７】
この床材２を、既設の床面７０にあらかじめ載置した支持枠６０の上側に載置すると、床材２の重量によりそのまま固定状態となる。所望の箇所全てに支持枠６０及び床材２を載置すれば完成状態となる。
【００４８】
この床材２上に振動や衝撃が加わった場合、振動や衝撃の源となるものと接触する上板２１は動く状態となるが、上板２１下側の中間材２２がわずかながら変形することで、振動等に係るエネルギーが吸収され、また、連結部材２４は中間材２２の変形を許容して上板２１と下板２３を拘束せず、上板２１の動きを下板２３に伝えることはないため、上板２１から中間材２２及び連結部材２４を介した下板２３への振動等の伝達はほとんど生じない。さらに、下板２３は支持枠６０に固定されず、支持枠６０上に載置されたのみとなっていることに加え、下板２３と支持枠６０間にはシート体が介在していることで、仮に下板２３がわずかに振動したとしても、支持枠６０にはこうした振動が伝わりにくく、結果として支持枠６０への振動等の伝達を抑えられ、その下側の床面７０や床下に床材２の上板２１上側で生じた振動や衝撃が伝わらない。
【００４９】
このように、本実施形態に係る床材は、既設の床面７０に載せた支持枠６０と下板２３との間に弾性変形するシート体を配設しつつ、下板２３を支持枠６０に固定せず載置したのみとして、床面７０上に一段高い台状部分を構築することから、上板２１、中間材２２及び下板２３の重量でこれらを安定して床面７０上に固定状態とすることができる一方、下板２３と支持枠６０、床面７０が一体化した剛構造とならず、シート体の介在も相俟って、上から伝わる振動や衝撃を支持枠６０より上側の各部材で適切に減衰させて支持枠６０や床面７０側に伝えず、床面７０側に振動や騒音等が伝わるのを確実に防止できる。また、既設の床面７０を一切改修することなく支持枠６０と床材２をなす各部材を載置するだけで制振機能を発揮させられ、既設の床面７０についても振動等への対策を簡易に実行できる。
【符号の説明】
【００５０】
１、２                  床材
１１、２１              上板
１２、２２              中間材
１３、２３              下板
１３ａ                  シート体
１４、２４              連結部材
５０                    根太
６０                    支持枠
７０                    床面
【図１】
0005637692.tif 000002
【図２】
0005637692.tif 000003
【図３】
0005637692.tif 000004
【図４】
0005637692.tif 000005
【図５】
0005637692.tif 000006
【図６】
0005637692.tif 000007
【図７】
0005637692.tif 000008